(57)【特許請求の範囲】
【請求項１】
把持可能な棒状部材を基準面から所定高さに支持する手摺構造において、
棒状部材に所定間隔で設けられこの棒状部材の少なくとも上面側と下面側との一方にあって把持時の滑りを防止する滑止部材と、滑止部材を棒状部材に取り付けるための取付部材とを備え、
滑止部材は、棒状部材の上面側又は下面側に被さるように弾性変形可能な鞍状の弾性部材を備え、
取付部材は、滑止部材を棒状部材に取り付けた状態でこの滑止部材から突出しないように形成されているものであって、上記弾性部材の裏面に埋設されるナットと、棒状部材の上記弾性部材が被さる側の反対側からこの棒状部材を挿通して上記ナットに螺合可能なボルトとを備えていることを特徴とする手摺構造。
【請求項２】
滑止部材は、棒状部材の下面側又は上面側に被さるように弾性変形可能で、かつ、上記ボルトのヘッド部を埋没可能な補助弾性部材を備えたことを特徴とする請求項１記載の手摺構造。
【請求項３】
把持可能な棒状部材を基準面から所定高さに支持する手摺構造において、
棒状部材に所定間隔で設けられこの棒状部材の少なくとも上面側と下面側との一方にあって把持時の滑りを防止する滑止部材と、滑止部材を棒状部材に取り付けるための取付部材とを一体として備え、
滑止部材は、棒状部材の上面側又は下面側に被さるように弾性変形可能な鞍状の弾性部材を備え、
取付部材は、滑止部材を棒状部材に回転不能に取り付けるように形成されているものであって、上記弾性部材の裏面から突出し、棒状部材内の少なくとも前後２箇所にて脱出不能に嵌め込み可能な先端部を備えていることを特徴とする手摺構造。
【請求項４】
滑止部材は、棒状部材の長手方向に沿って上面側と下面側とに交互に設けられていることを特徴とする請求項１〜３のいずれかに記載の手摺構造。
【発明の詳細な説明】
【０００１】
【発明の属する技術分野】
本発明は、階段やスロープ等に設置される手摺の構造に関するものである。
【０００２】
【従来の技術】
最近では、老人人口の増加等の理由から屋内、屋外の階段やスロープ等には、多くの手摺が設置されるようになった。一般的な手摺は、図１７に示すように、棒状の手摺部材１と、この手摺部材１を基準面２から所定高さに支持する支持体３とから構成されている。基準面２は例えば階段のステップの上面であり、数ステップ毎に支持体３が設けられている。
【０００３】
このような手摺構造においては、例えば脚力の衰えた老人が階段を上る場合には、手摺部材１の手が届く上の部位をその手でつかんで体をゆっくりと引き寄せるようにして足を踏み出す。そして、足が１つ上のステップに確実にのって体が安定したときに、手摺部材１から手を離して、その手で手摺部材１のさらに上の部位をつかむ。この繰り返しにより、少しづつ階段を上ることができる。
【０００４】
また、階段を下る場合には、手摺部材１の手が届く下の部位をその手でつかんで体をゆっくりと引き離すようにして足を踏み出す。そして、足が１つ下のステップに確実にのって体が安定したときに、手摺部材１から手を離して、その手で手摺部材１のさらに下の部位をつかむ。この繰り返しにより、少しづつ階段を下ることができる。
【０００５】
手摺は、このように、老人等の脚力の衰えを手の力で補うための補助具として使用されるものである。
【０００６】
【発明が解決しようとする課題】
しかし、脚力の衰えた老人等は、手の力も衰えていることが多い。このため、手摺部材１をしっかりとつかむことが困難であり、手摺部材１をつかむ手が滑って階段の上り下りが困難となることがある。
【０００７】
一方、手摺部材１に単純に凹凸をつけて、滑りを防止する例もあるが、手摺部材１から手を離すときに、この凹凸が手に引っかかったのでは、体のバランスを崩してしまうおそれがある。
【０００８】
すなわち、補助具としての手摺本体は、手でつかみやすいことと、手がはなれやすいことといった、相反する２つの機能を持たせることが要求される。従来の手摺では、この相反する２つの機能を同時に満足するものがなかった。
【０００９】
他方、手摺部材１に握り部を設けて、滑りを防止する例もあるが、この握り部をせっかく手で握ったとしても、それが手摺部材１に対して左右に回転したのでは、体のバランスを崩してしまうおそれがある。
【００１０】
すなわち、補助具としての手摺本体は、さらに手でつかんだときに左右に回転しないことをも要求される。従来の手摺では、このことを満足するものがなかった。
【００１１】
本発明は、こうした従来技術の課題を解決するものであり、手でつかみやすいことと、手がはなれやすいことといった、相反する２つの機能を同時に満足させること等により、手摺本来の機能を発揮することのできる構造を提供することを目的とする。
【００１２】
【課題を解決するための手段】
請求項１記載の発明は、把持可能な棒状部材を基準面から所定高さに支持する手摺構造において、棒状部材に所定間隔で設けられこの棒状部材の少なくとも上面側と下面側との一方にあって把持時の滑りを防止する滑止部材と、滑止部材を棒状部材に取り付けるための取付部材とを備え、滑止部材は、棒状部材の上面側又は下面側に被さるように弾性変形可能な鞍状の弾性部材を備え、取付部材は、滑止部材を棒状部材に取り付けた状態でこの滑止部材から突出しないように形成されているものであって、上記弾性部材の裏面に埋設されるナットと、棒状部材の上記弾性部材が被さる側の反対側からこの棒状部材を挿通して上記ナットに螺合可能なボルトとを備えていることを特徴とするものである。
【００１３】
上記構成によれば、棒状部材に所定間隔で設けられこの棒状部材の少なくとも上面側と下面側との一方にあって把持時の滑りを防止する滑止部材と、滑止部材を棒状部材に取り付けるための取付部材とが備えられているので、棒状部材をつかむ手が滑ってステップ等の上り下り等が困難となる事態が回避される。
【００１４】
また、取付部材は滑止部材を棒状部材に取り付けた状態でこの滑止部材から突出しないように形成されているので、滑止部材から手をはなすときに、この滑止部材が手に引っかかって、体のバランスを崩してしまうような事態が回避される。
【００１５】
すなわち、補助具としての手摺は、手でつかみやすいことと、手がはなれやすいことといった、相反する２つの機能を持たせることが要求されるが、本構造では、この相反する２つの機能を同時に満足させることにより、補助具としての手摺本来の機能が発揮されるようになる。
【００１６】
さらに、滑止部材は、棒状部材の上面側又は下面側に被さるように弾性変形可能な鞍状の弾性部材を備え、取付部材は、この弾性部材の裏面に埋設されるナットと、棒状部材の上記弾性部材が被さる側の反対側からこの棒状部材を挿通して上記ナットに螺合可能なボルトとを備えているため、手の力の衰えた老人等であっても、弾性部材がその手に応じた形状に変形するので、その弾性部材をつかむことが容易となる。しかも、ボルトとナットの結合部は弾性部材の上面側又は下面側に突出することがないので、手にひっかかるおそれがなくなり、手を離すことが容易となる。
【００１７】
請求項２記載の発明のように、滑止部材は、棒状部材の下面側又は上面側に被さるように弾性変形可能で、かつ、上記ボルトのヘッド部を埋没可能な補助弾性部材を備えたこととすれば、手の力の衰えた老人等であっても、補助弾性部材がその手に応じた形状に変形するので、弾性部材とともにその補助弾性部材をつかむことが容易となる。しかも、ボルトヘッド部も補助弾性部材の下面側又は上面側に突出することがないので、手にひっかかるおそれがなくなり、手を離すことが容易となる。
【００１８】
請求項３記載の発明は、把持可能な棒状部材を基準面から所定高さに支持する手摺構造において、棒状部材に所定間隔で設けられこの棒状部材の少なくとも上面側と下面側との一方にあって把持時の滑りを防止する滑止部材と、滑止部材を棒状部材に取り付けるための取付部材とを一体として備え、滑止部材は、棒状部材の上面側又は下面側に被さるように弾性変形可能な鞍状の弾性部材を備え、取付部材は、滑止部材を棒状部材に回転不能に取り付けるように形成されているものであって、上記弾性部材の裏面から突出し、棒状部材内の少なくとも前後２箇所にて脱出不能に嵌め込み可能な先端部を備えていることを特徴とするものである。
【００１９】
上記構成によれば、棒状部材に所定間隔で設けられこの棒状部材の少なくとも上面側と下面側との一方にあって把持時の滑りを防止する滑止部材と、滑止部材を棒状部材に取り付けるための取付部材とを一体として備え、取付部材は滑止部材を棒状部材に回転不能に取り付けるように形成されているので、滑止部材を手でつかんだときに、この滑止部材が棒状部材に対して左右に回転して、体のバランスを崩してしまうような事態が回避される。
【００２０】
すなわち、補助具としての手摺は、さらに手でつかんだときに左右に回転しないことをも要求されるが、本構造では、このことをも満足するようになる。
【００２１】
さらに、滑止部材は、棒状部材の上面側又は下面側に被さるように弾性変形可能な鞍状の弾性部材を備え、取付部材は、この弾性部材の裏面から突出し、棒状部材内の少なくとも前後２箇所にて不可逆的に嵌め込み可能な先端部を備えているため、手の力の衰えた老人等であっても、弾性部材がその手に応じた形状に変形するので、その弾性部材をつかむことが容易となる。しかも、弾性部材をつかんだときに、この弾性部材が棒状部材に対して左右に回転して、体のバランスを崩してしまうような事態が回避される。
【００２２】
請求項４記載の発明のように、滑止部材は、棒状部材の長手方向に沿って上面側と下面側とに交互に設けられていることとすれば、老人等は階段を上るときには下面側の滑止部材をつかんでより上り易くなり、また階段を下るときには上面側の滑止部材をつかんでより下り易くなる。
【００２３】
【発明の実施の形態】
（実施形態１）
図１は本発明の実施形態１に係る手摺の全体構造を示す斜視図、図２はその特徴となる滑止部材まわりを示す分解斜視図、図３は組立て状態を示す斜視図、図４は図３におけるＡ−Ａ線断面図である。以下、屋外の階段に設置される手摺構造を例にとって説明する。
【００２４】
本実施形態１に係る手摺は、図１〜図４に示すように、把持可能な棒状の手摺部材（棒状部材に相当する。）を基準面２から支持体３で所定高さに支持する構造であるが、その手摺部材１に所定間隔で設けられこの手摺部材１の少なくとも上面側にあって把持時の滑りを防止する滑止部材４と、滑止部材４を手摺部材１に取り付けるための取付部材５とを備え、取付部材５は滑止部材４を手摺部材１に取り付けた状態でこの滑止部材４から突出しないように形成されている。なお、上記所定間隔は、老人等の歩幅等を考慮して適宜設定される。
【００２５】
手摺部材１は、例えば中空のステンレス鋼製パイプを所定寸法にカットしたもので、その端部は下方に屈曲されて端末部材６が嵌合されている。そして、滑止部材４が取り付けられる各位置には略垂直方向の貫通孔１１が穿設されている。
【００２６】
滑止部材４は、手摺部材１の上面側に被さるように弾性変形可能な鞍状の弾性部材４１と、手摺部材１の下面側に被さるように弾性変形可能な補助弾性部材４２とを備えている。弾性部材４１の裏面中心には有底穴４３が設けられ、補助弾性部材４２の中心には貫通孔４４が穿設されている。弾性部材４１及び補助弾性部材４２は、例えば合成ゴム製であって、老人等が手で両部材をつかんだときに容易に弾性変形してその手のグリップ力を手摺部材１に伝え、手を離したときにはもとの形状に弾性復帰して、繰り返し使用に十分に耐えるものである。
【００２７】
取付部材５は、弾性部材４１の上記有底穴４３に埋設されるナット５１と、手摺部材１の下面側から補助弾性部材４２の貫通孔４４と手摺部材１の貫通孔１１とを略垂直方向に順に挿通してナット５１に螺合可能なボルト５２とを備えている。ここでは、ナット５１とボルト５２は、ステンレス鋼製のものを使用している。
【００２８】
弾性部材４１等の各寸法は、老人等の手の大きさ等を基準に設定される。例えば弾性部材４１の高さＨは老人等が手で容易につかむことができる範囲で、かつ、ナット５１の厚みよりも若干高くなるように設定され、その幅Ｂは手摺部材１の直径程度に設定され、その奥行Ｄは老人等の手のひらサイズに設定される。また、ボルト５２のヘッド部下の全長は、手摺部材１の直径にナット５１の厚みを加えた寸法に設定される。また、補助弾性部材４２の高さｈは、上記弾性部材４１とともに老人等が手で容易につかむことができる範囲で、かつ、ボルト５２のヘッド部が埋没可能な高さに設定され、その幅ｂと奥行ｄとは上記弾性部材４１のそれよりも小さく設定される。このような寸法設定により、滑止部材２を老人等が手で容易につかむことができるとともに、ボルト５２とナット５１の結合部は弾性部材４１の上面側に突出することがなくなり、また、ボルト５２のヘッド部も補助弾性部材４２の下面側に突出することがなくなる。
【００２９】
本実施形態１においては、例えば脚力の衰えた老人が階段を上る場合には、手摺部材１の手が届く上の部位にある滑止部材４をその手でつかんで体をゆっくりと引き寄せるようにして足を踏み出す。そして、足が１つ上のステップに確実にのって体が安定したときに、滑止部材４から手を離して、その手で手摺部材１のさらに上の部位の滑止部材４をつかむ。この繰り返しにより、確実に階段を上ることができる。
【００３０】
また、階段を下る場合には、手摺部材１の手が届く下の部位にある滑止部材４をその手でつかんで体をゆっくりと引き離すようにして足を踏み出す。そして、足が１つ下のステップに確実にのって体が安定したときに、滑止部材４から手を離して、その手で手摺部材１のさらに下の部位にある滑止部材４をつかむ。この繰り返しにより、確実に階段を下ることができる。
【００３１】
本実施形態１によれば、滑止部材４を手でつかみながら階段のステップの上り下りができるので、手摺部材１をつかむ手が滑ってステップ等の上り下り等が困難となる事態が回避される。また、滑止部材４の取付部材５の突出がないので、滑止部材４から手をはなすときに、この滑止部材４の取付部材５が手に引っかかって、体のバランスを崩してしまうような事態が回避される。
【００３２】
すなわち、補助具としての手摺は、手でつかみやすいことと、手がはなれやすいことといった、相反する２つの機能を持たせることが要求されるが、本実施形態１では、この相反する２つの機能を同時に満足させることにより、補助具としての手摺本来の機能が発揮されるようになる。たとえ、滑止部材４を手でつかむことなく、手摺部材１を手でつかんで階段の上り下りをするような場合であって、たまたま手が滑ったとしても、その前後の滑止部材４で直ちにその滑りが抑止されるので、体のバランスを崩してしまうような事態が回避される。
【００３３】
（実施形態２）
図５は本発明の実施形態２に係る手摺構造の滑止部材まわりを示す斜視図、図６は図５におけるＢ−Ｂ線断面図である。なお、上記実施形態１と共通する要素には同一番号を付してその説明を省略する。
【００３４】
本実施形態２に係る手摺では、図５,図６に示すように、手摺部材１は、滑止部材４ａが取り付けられる各位置に略水平方向の貫通孔１１ａが穿設されている。また、滑止部材４ａは、手摺部材１の上面側に被さるように弾性変形可能な鞍状の弾性部材４１ａのみを備えており、その左右両側面側には貫通孔４３ａ，４３ｂが穿設されている。
【００３５】
取付部材５ａは、図６において、手摺部材１の左側から弾性部材４１ａの貫通孔４３ａと手摺部材１の貫通孔１１ａと弾性部材４１ａの貫通孔４３ｂを略水平方向に順に挿通してナット５１に螺合可能なボルト５２とを備えており、組立て状態では、ナット５１とボルト５２のヘッド部は弾性部材４１ａに埋没されるようになっている。
【００３６】
本実施形態２では、上記実施形態１と同様の作用効果を奏することに加えて、さらに滑止部材４ａの構造が簡単化される。
【００３７】
（実施形態３）
図７は本発明の実施形態３に係る手摺構造の滑止部材まわりを示す斜視図、図８は図７におけるＣ−Ｃ線断面図である。なお、上記実施形態１と共通する要素には同一番号を付してその説明を省略する。
【００３８】
本実施形態３に係る手摺では、図７,図８に示すように、手摺部材１は、滑止部材４ｂが取り付けられる各位置上面側に前後２箇所づつ略垂直方向のねじ孔１１ｂ，１１ｃが設けられている。また、滑止部材４ｂは、手摺部材１の一側面側からはまり込むように弾性変形可能な取手状の弾性部材４１ｂのみを備えており、その前後両上面側には貫通孔４３ｃ，４３ｄが穿設されている。そして、組立て状態では、この弾性部材４１ｂは、階段のステップの上面に対してほぼ水平となる部分４１ｃを有している。
【００３９】
取付部材５ｂは、図８において、手摺部材１の上側から弾性部材４１ｂの貫通孔４３ｃ，４３ｄを略垂直方向に挿通して手摺部材１のねじ孔１１ｂ，１１ｃに直接螺合可能なボルト５２ａ，５２ｂを備えており、組立て状態では、ボルト５２ａ，５２ｂのヘッド部は弾性部材４１ｂに埋没されるようになっている。
【００４０】
本実施形態３では、上記実施形態１と同様の作用効果を奏することに加えて、弾性部材４１ｂを取手状にしたことにより、滑止部材４ｂはさらにつかみやすくなる。
【００４１】
（実施形態４）
図９は本発明の実施形態４に係る手摺構造の滑止部材まわりを示す側面図、図１０は図９におけるＤ−Ｄ線断面図である。なお、上記実施形態１と共通する要素には同一番号を付してその説明を省略する。
【００４２】
本実施形態４に係る手摺では、図９,図１０に示すように、手摺部材１は、滑止部材４ｃが取り付けられる各位置に略水平方向の貫通孔１１ａが穿設されている。また、滑止部材４ｃは、手摺部材１の上記貫通孔１１ａを中心にして前後方向に揺動可能でかつ弾性変形可能な環状の弾性部材４１ｃのみを備えており、その左右両側面側には貫通孔４３ａ，４３ｂが穿設されている。
【００４３】
取付部材５ｃは、図１０において、手摺部材１の左側から弾性部材４１ｃの貫通孔４３ａと手摺部材１の貫通孔１１ａと弾性部材４１ｃの貫通孔４３ｂを略水平方向に順に挿通してナット５１に螺合可能なボルト５２とを備えており、組立て状態では、ナット５１とボルト５２のヘッド部は弾性部材４１ｃに埋没されるようになっている。
【００４４】
本実施形態４では、上記実施形態１と同様の作用効果を奏することに加えて、弾性部材４１ｃを揺動可能な環状にしたことにより、滑止部材４ｂは手摺部材１の前後いずれの方向からもつかみやすくなる。
【００４５】
（実施形態５）
図１１は本発明の実施形態５に係る手摺構造の滑止部材まわりを示す側面図、図１２は図１１におけるＥ−Ｅ線断面図である。なお、上記実施形態１と共通する要素には同一番号を付してその説明を省略する。
【００４６】
本実施形態５に係る手摺では、図１１,図１２に示すように、手摺部材１は、滑止部材４ｄが取り付けられる位置下面側に略垂直方向のねじ孔１１ｄが設けられている。また、滑止部材４ｄは、手摺部材１の一側面側からはめ込んで重ね合わせるように切れ目を入れた弾性変形可能な太鼓状の弾性部材４１ｄのみを備えており、その下面側には組立て時に上記ねじ孔１１ｄと同軸となるように貫通孔４３ｅが穿設されている。
【００４７】
取付部材５ｄは、図１２において、手摺部材１の下側から弾性部材４１ｄの貫通孔４３ｅを略垂直方向に挿通して手摺部材１のねじ孔１１ｄに直接螺合可能なボルト５２ｃを備えており、組立て状態では、ボルト５２ｃのヘッド部は弾性部材４１ｄに埋没されるようになっている。
【００４８】
本実施形態５では、上記実施形態１と同様の作用効果を奏することに加えて、弾性部材４１ｄを太鼓状にしたことにより、滑止部材４ｄはさらに簡単化される。
【００４９】
（実施形態６）
図１３は本発明の実施形態６に係る手摺構造の滑止部材まわりを示す平面図、図１４は図１３におけるＦ−Ｆ線断面図、図１５は図１３におけるＧ−Ｇ線断面図である。なお、上記実施形態１と共通する要素には同一番号を付してその説明を省略する。
【００５０】
本実施形態６に係る手摺では、図１３〜図１５に示すように、手摺部材１は、滑止部材４ｅが取り付けられる各位置上面側に前後２箇所づつ略垂直方向の嵌合孔１１ｅ，１１ｆが設けられている。また、滑止部材４ｅは、手摺部材１の上面側に被さるように弾性変形可能な鞍状の弾性部材４１ｅのみを備えており、下記取付部材５ｅと一体に形成されている。
【００５１】
すなわち、取付部材５ｅは、弾性部材４１ｅの下面（裏面）側から手摺部材１の嵌合穴１１ｅ，１１ｆに対応するようにそれぞれ突出し、この嵌合穴１１ｅ，１１ｆに脱出不能に嵌め込み（いわゆる無理嵌め）できる楔形状の先端部５１ｅ，５１ｆを備えている。ただし、取付部材５ｅの先端部５１ｅ，５１ｆと手摺部材１の嵌合孔１１ｅ，１１ｆの組数は、強度確保等のためにさらに多くすることもある。
【００５２】
そして、組立て状態では、弾性部材４１ｅは取付部材５ｅの先端部５１ｅ，５１ｆが手摺部材１の嵌合穴１１ｅ，１１ｆにそれぞれ無理嵌めされて回転不能となっている。
【００５３】
本実施形態６では、上記実施形態１と同様の作用効果を奏することに加えて、弾性部材４１ｅを手でつかんだときに、この弾性部材４１ｅが手摺部材１に対して左右に回転して、体のバランスを崩してしまうような事態が回避される。
【００５４】
すなわち、補助具としての手摺は、さらに手でつかんだときに左右に回転しないことをも要求されるが、本構造では、このことをも満足するようになる。
【００５５】
なお、上記実施形態１〜６では、いずれも滑止部材４は、棒状部材１の長手方向に沿って上面側に設けられているが、必ずしもそのすべてを上面側に設ける必要はなく、例えばその一部又は全部を下面側に設けることとしてもよい。さらに、例えば図１６に示すように、滑止部材４は、棒状部材１の長手方向に沿って上面側と下面側とに交互に設けることとしてもよい。その場合には、老人等は階段を上るときには下面側の滑止部材４をつかんでより上り易くなり、また階段を下るときには上面側の滑止部材４をつかんでより下り易くなるという優れた効果が得られることが本発明者らの実験によりわかった。
【００５６】
また、上記実施形態１では、滑止部材４として、弾性部材４１と、補助弾性部材４２を別体で設けているが、上記実施形態３〜５のように、両者を一体化してもよい。また、上記実施形態２，６のように、弾性部材４１のみを設けて、補助弾性部材４２を省略することとしてもよい。
【００５７】
また、上記実施形態６では、取付部材５ｅの先端部５１ｅ，５１ｆを手摺部材１の嵌合穴１１ｅ，１１ｆに無理嵌めしているが、この代わりに、取付部材５ｅを手摺部材１へボルト，ナット等で締結することとしてもよい。すなわち、取付部材５ｅは弾性部材４１ｅに必ずしも一体形成されている必要はなく、その組立て後に一体構造となることで足りる。
【００５８】
また、上記実施形態１〜６では、いずれも屋外の階段の上り下りに使用される手摺構造を説明したが、本発明の適用範囲はこれに限定されず、本発明は、例えば屋内の階段や屋外のスロープその他の手摺であっても同様に適用できる。その場合に、手摺部材１等の材料は、適宜選択される。例えば屋内で使用される手摺部材１としては、手になじみやすい木製の丸棒等他の適当な材料を使用することもできる。
【００５９】
【発明の効果】
以上説明したように、請求項１記載の発明によれば、棒状部材をつかむ手が滑ってステップ等の上り下り等が困難となる事態を回避できる。また、滑止部材から手をはなすときに、この滑止部材が手に引っかかって、体のバランスを崩してしまうような事態を回避できる。
【００６０】
すなわち、補助具としての手摺は、手でつかみやすいことと、手がはなれやすいことといった、相反する２つの機能を持たせることが要求されるが、本構造では、この相反する２つの機能を同時に満足させることにより、補助具としての手摺本来の機能を発揮することができる。
【００６１】
とくに、手の力の衰えた老人等であっても、弾性部材がその手に応じた形状に変形するので、その弾性部材をつかむことが容易となる。しかも、ボルトとナットの結合部は弾性部材の上面側に突出することがないので、手にひっかかるおそれがなくなり、手を離すことが容易となる。
【００６２】
請求項２記載の発明によれば、手の力の衰えた老人等であっても、補助弾性部材がその手に応じた形状に変形するので、弾性部材とともにその補助弾性部材をつかむことが容易となる。しかも、ボルトヘッド部も補助弾性部材の下面側に突出することがないので、手にひっかかるおそれがなくなり、手を離すことが容易となる。
【００６３】
請求項３記載の発明によれば、滑止部材を手でつかんだときに、この滑止部材が棒状部材に対して左右に回転して、体のバランスを崩してしまうような事態を回避できる。
【００６４】
すなわち、補助具としての手摺は、さらに手でつかんだときに左右に回転しないことをも要求されるが、本構造では、このことを満足することもできる。
【００６５】
とくに、手の力の衰えた老人等であっても、弾性部材がその手に応じた形状に変形するので、その弾性部材をつかむことが容易となる。しかも、弾性部材をつかんだときに、この弾性部材が棒状部材に対して左右に回転して、体のバランスを崩してしまうような事態を回避できる。
【００６６】
請求項４記載の発明によれば、老人等は階段を上るときには下面側の滑止部材をつかんでより上り易くなり、また階段を下るときには上面側の滑止部材をつかんでより下り易くなるという効果を得ることができる。
【図面の簡単な説明】
【図１】本発明の実施形態１に係る手摺の全体構造を示す斜視図である。
【図２】本発明の実施形態１に係る手摺構造の滑止部材まわりを示す分解斜視図である。
【図３】本実施形態１の組立て状態を示す斜視図である。
【図４】図３におけるＡ−Ａ線断面図である。
【図５】本発明の実施形態２に係る手摺構造の滑止部材まわりを示す斜視図である。
【図６】図５におけるＢ−Ｂ線断面図である。
【図７】本発明の実施形態３に係る手摺構造の滑止部材まわりを示す斜視図である。
【図８】図７におけるＣ−Ｃ線断面図である。
【図９】本発明の実施形態４に係る手摺構造の滑止部材まわりを示す側面図である。
【図１０】図９におけるＤ−Ｄ線断面図である。
【図１１】本発明の実施形態５に係る手摺構造の滑止部材まわりを示す側面図である。
【図１２】図１１におけるＥ−Ｅ線断面図である。
【図１３】本発明の実施形態６に係る手摺構造の滑止部材まわりを示す        平面図である。
【図１４】図１３におけるＦ−Ｆ線断面図である。
【図１５】図１３におけるＧ−Ｇ線断面図である。
【図１６】本発明の変形例に係る手摺の全体構造を示す斜視図である。
【図１７】一般的な手摺の全体構造を示す斜視図である。
【符号の説明】
１  手摺部材（棒状部材に相当する。）
２  階段のステップ上面（基準面に相当する。）
３  支持体
４  滑止部材
４１  弾性部材
４２  補助弾性部材
５  取付部材
５１  ナット
５２  ボルト
【図１】
0004071544.tif 000002
【図２】
0004071544.tif 000003
【図３】
0004071544.tif 000004
【図４】
0004071544.tif 000005
【図５】
0004071544.tif 000006
【図６】
0004071544.tif 000007
【図７】
0004071544.tif 000008
【図８】
0004071544.tif 000009
【図９】
0004071544.tif 000010
【図１０】
0004071544.tif 000011
【図１１】
0004071544.tif 000012
【図１２】
0004071544.tif 000013
【図１３】
0004071544.tif 000014
【図１４】
0004071544.tif 000015
【図１５】
0004071544.tif 000016
【図１６】
0004071544.tif 000017
【図１７】
0004071544.tif 000018